(57)【要約】      （修正有）【課題】外出先等で傘やペットボトルをバックに掛けたり、ベルトに掛けたりして持運べる傘及びペットボトル用ホルダーを提供する。【解決手段】円錐の筒状のホルダーに傘を挿し込み、挿し込んだホルダーをバッグや、ベルト等に結合する構造のホルダー。予めホルダーの停止位置の傘の太さに上下の紐を調整しておく。ホルダーに傘を挿入した後、開口部に設けたフックをバッグの取っ手や、ベルトに通して留める。【選択図】図１
0003161247.tif 000002
【実用新案登録請求の範囲】
【請求項１】
上の開口部を大きくする事により傘を入れ易くし、下に向かって錐状に窄める事で傘を筒全体で保持し、下の開口部の円周に沿って設けた紐は筒から傘が抜け落ちない様に又、開口部が裂けるのを防止する機能を持たせ、筒に傘を挿入後、上の大きい方の開口部の円周に沿って２周させた紐で、保持する機能を持った傘用ホルダーです。
【請求項２】
請求項１の構造の筒の裏地に吸水性素材を、表地に防水性素材を用いた構造の傘用ホルダー。
【請求項３】
筒と上下の紐で傘を保持する構造を特徴とする請求項１の傘用ホルダーに、筒を折り曲げ、筒と下の開口部に設けたジョイントを繋げる構造を持たせた傘・ペットホルダー。
【請求項４】
筒と上下の紐で傘を保持する構造を特徴とする請求項１の傘ホルダーの上の紐を、中心から１８０℃では無い位置の左右に紐を出す構造とした傘・ペットホルダー。
【考案の詳細な説明】
【技術分野】
【０００１】この考案は、傘やペットボトルを持運ぶ為の傘・ペット用ホルダーに関するものである。
【背景技術】
【０００２】外出先等で傘やペットボトルをバックに掛けたり、ベルトに掛けたりして持運べる傘及びペットボトル用ホルダーが欲しかった。
【考案の開示】
【考案が解決しようとする課題】
【０００３】（イ）出し入れ簡単な持運び用傘入れが欲しかった。
（ロ）雨に濡れた傘がズボン等に当たって濡れるのを防止する必要がある。
（ハ）雨に濡れた傘の雫を取り除く必要がある。
（ニ）折畳み傘にも対応する必要がある。
（ホ）カバン、バッグ、腰のベルト等に引っ掛ける部分（フック）を設ける必要がある。
（ヘ）大きさ（太さ）の違う傘に対応する必要がある。
（ト）長傘を紐で持った時に斜めにならない様にしたかった。
【課題を解決するための手段】
【０００４】内側に吸水性のある布地、タオル布地を利用して細長い上が太く、下が細い円錐状の筒に、上下の開口部は、紐等を通して開口部の絞込みが行える構造ですので、上下の開口部を上が太く、下細く傘と同じくらいの太さに調整する事で、傘ホルダーから抜け落ちません。又、傘を通す事で水滴を拭き取れ、表地に防水処理しており裏からのしみでた雨水でズボン等を濡らす事を防止出来ます。
上側の紐若しくは開口部にフックや紐の長さを調整したり、開口部を絞る為のストッパー等を装着しておくとバッグの取っ手部や、ベルト等に通した後簡単結合して掛けれます。
筒を折り曲げ保持するジョイントを施す事で袋になり、折畳み傘や、ペットボトルを持運び出来る袋となる。
又、正面を内にして丸めたり、畳んだりしたのち、予め筒に装着しておいた留め輪紐と下の開口部のストッパーを留める事でコンパクトになりｍ傘に引っ掛けたり、袋だけを持ち歩いたりする事が可能です。
【考案の効果】
【０００５】外出先等で両手が塞がれる事無く、持ち歩きに便利になる。
筒の太さを５００ｍｌペットボトルが入るくらい大きめにしておくと、筒を折り曲げ保持するジョイント、ボタン等を施す事で、折畳み傘やペットボトル等を入れるエコバックにもなり、傘同様、バッグ等に掛けて利用する携帯バッグにもなる。
本考案は以上の構成からなる傘・ペット用ホルダーである。
【考案を実施するための最良の形態】
【０００６】
【実施例】
【０００７】予めホルダーの停止位置の傘の太さに上下の紐を調整しておく。ホルダーに傘を挿入した後、開口部に設けたフックをバッグの取っ手や、ベルトに通して留める。
【産業上の利用可能性】
【０００８】雨雫をどれだけ落として装着するかで、筒の濡れ具合代わりますが、使い捨て傘袋の消費を抑えるのに役立つ。
【図面の簡単な説明】
【０００８】
【図１】裏面から見た全体図である。
【符号の説明】
【０００９】Ａ      フック
Ｂ      折畳み傘やペットボトル入れる袋を作る為のストッパーを引っ掛ける紐輪
Ｃ      上の開口部から正面を巻き込んで丸めてにストッパーを引っ掛ける紐輪
ＵＨ    上側絞り紐
Ｍ      本体（筒）
ＳＨ    下側絞り紐
ＳＴ１  ストッパー
ＳＴ２  ストッパー
ＵＫ    上側開口部
ＳＫ    下側開口部
Ｚ      中心線
Ｙ      縫合線
【図１】
0003161247.tif 000003
【手続補正書】
【提出日】平成22年5月6日(2010.5.6)
【手続補正１】
【補正対象書類名】実用新案登録請求の範囲
【補正対象項目名】全文
【補正方法】変更
【補正の内容】
【実用新案登録請求の範囲】
【請求項１】
上の開口部を大きくする事により傘を入れ易くし下に向かって錐状に窄める事で傘を筒全体で保持し、下の開口部の円周に沿って設けた紐を結ぶ事で筒から傘が抜け落ちない機能と開口部が裂けるのを防止する機能を持たせ、筒に傘を挿入後に上の大きい方の開口部の円周に沿って設けた紐を左右に出してその紐を絞る事で保持する機能を持った傘用ホルダー。
【請求項２】
円錐状の筒と上下の紐で傘を保持する構造を特徴とする請求項１の傘用ホルダーに、裏地に吸水性素材を、表地に防水性素材を用いた構造の傘用ホルダー。
【請求項３】
円錐状の筒と上下の紐で傘を保持する構造を特徴とする請求項１の傘用ホルダーに、下の開口部を上へ折り曲げ、筒の途中に設けた紐輪と開口部に設けたジョイントを繋げる事で上部の開口部よりペットボトルや折畳み傘等の物品を入れる袋の構造を持たせた傘用ホルダー。
【請求項４】
円錐状の筒と上下の紐で傘を保持する構造を特徴とする請求項１の傘用ホルダーに、上の開口部の左右の紐を出す位置を偏重心になる位置とし、円周長い方側から左右の紐を持つ事で、傘を挿したホルダーを持った時に傘の傾きを抑える機能を持たせた傘用ホルダー。
【手続補正２】
【補正対象書類名】明細書
【補正対象項目名】全文
【補正方法】変更
【補正の内容】
【考案の詳細な説明】
【技術分野】
【０００１】この考案は、傘やペットボトルを持運ぶ為の傘用ホルダーに関するものである。
【背景技術】
【０００２】外出先等で傘やペットボトルをバックに掛けたり、ベルトに掛けたりして持運べる傘及びペットボトル用ホルダーが欲しかった。
【考案の開示】
【考案が解決しようとする課題】
【０００３】（イ）出し入れ簡単な持運び用傘入れが欲しかった。（ロ）雨に濡れた傘がズボン等に当たって濡れるのを防止する必要がある。（ハ）雨に濡れた傘の雫を取り除く必要がある。（ニ）折畳み傘にも対応する必要がある。（ホ）カバン、バッグ、腰のベルト等に引っ掛ける部分（フック）を設ける必要がある。（ヘ）大きさ（太さ）の違う傘に対応する必要がある。（ト）長傘を紐で持った時に斜めにならない様にしたかった。
【課題を解決するための手段】
【０００４】内側に吸水性のある布地、タオル布地を利用して細長い上が太く、下が細い円錐状の筒に、上下の開口部は、紐等を通して開口部の絞込みが行える構造ですので、上下の開口部を上が太く、下細く傘と同じくらいの太さに調整する事で、傘ホルダーから抜け落ちません。又、傘を通す事で水滴を拭き取れ、表地に防水処理しており裏からのしみでた雨水でズボン等を濡らす事を防止出来ます。上側の紐若しくは開口部にフックや紐の長さを調整したり、開口部を絞る為のストッパー等を装着しておくとバッグの取っ手部や、ベルト等に通した後簡単結合して掛けれます。上側の紐は、縫い目やストッパーが無い方を正面とし、左右の紐出し位置を中心より正面寄りとし、左右の紐を傘を巻き込む様に裏側、円周の長い方側で持つ事により、傘の傾きを抑える事が可能となります。又、筒を折り曲げ保持するジョイントを施す事で袋になり、折畳み傘や、ペットボトルを持運び出来る袋となる。更に、正面を内にして丸めたり、畳んだりしたのち、予め筒に装着しておいた留め輪紐と下の開口部のストッパーを留める事でコンパクトになり、傘に引っ掛けたり、袋だけを持ち歩いたりする事が可能です。
【考案の効果】
【０００５】外出先等で両手が塞がれる事無く、持ち歩きに便利になる。筒の太さを５００ｍｌペットボトルが入るくらい大きめにしておき、筒を折り曲げ保持するジョイント、ボタン等を施す事で、折畳み傘やペットボトル等を入れるエコバック（登録商標）にもなり、傘同様、バッグ等に掛けて利用する携帯バッグにもなる。本考案は以上の構成からなる傘用ホルダーである。
【考案を実施するための最良の形態】
【０００６】
【実施例】
【０００７】予め傘の停止位置を決める為に傘の太さに傘用ホルダーの上下の紐を絞り太さを調整しておく。傘用ホルダーに傘を挿入した後、開口部に設けたフックをバッグの取っ手や、ベルトに通して留める。
【産業上の利用可能性】
【０００８】雨雫をどれだけ落として装着するかで、筒の濡れ具合代わりますが、使い捨て傘袋の消費を抑えるのに役立つ。
【図面の簡単な説明】
【０００８】
【図１】裏面から見た全体図である。
【符号の説明】
【０００９】Ａ      フックＢ      折畳み傘やペットボトル入れる袋を作る為のストッパーを引っ掛ける紐輪Ｃ      上の開口部から正面を巻き込んで丸めてにストッパーを引っ掛ける紐輪ＵＨ    上側絞り紐Ｍ      本体（筒）ＳＨ    下側絞り紐ＳＴ１  ストッパーＳＴ２  ストッパーＵＫ    上側開口部ＳＫ    下側開口部Ｚ      中心線Ｙ      縫合線
【手続補正３】
【補正対象書類名】図面
【補正対象項目名】全図
【補正方法】変更
【補正の内容】
【図１】
0003161247.tif 000004